(57)【要約】【課題】ヘッドホーンハウジングに取り付けられた操作機器の操作音が、音声出力の雑音となりにくいヘッドホーン及びヘッドマウントディスプレイを提供する。【解決手段】ヘッドホーン１はヘッドホーンハウジング２とヘッドホーンケース３とを主要部分として構成されており、両者は球面座を有するジョイント４により回動自在に結合されている。ヘッドホーンハウジング２には、図に示すように操作部材であるスイッチ５が取り付けられているが、スイッチ５とヘッドホーンハウジング２との間には、ゴムからなる吸音材６が介在しており、スイッチ５の操作音（振動）がヘッドホーンハウジング２に伝わりにくいようになっている。よって、スイッチ５の操作音が雑音となる可能性が小さい。【選択図】  図１
2008042709.tif 000002
【特許請求の範囲】
【請求項１】
ヘッドホーンハウジングに直接又は間接的に操作機器が取り付けられたヘッドホーンであって、前記操作機器の取り付け部と、音声発生部との間に、吸音材を配置したことを特徴とするヘッドホーン。
【請求項２】
前記操作機器と、それが取り付けられている前記ヘッドホーンハウジングとの間に吸音材を配置したことを特徴とする請求項１に記載のヘッドホーン。
【請求項３】
前記操作機器が基板に取り付けられ、当該基板が前記ヘッドホーンハウジングに取り付けられ、前記基板と前記ヘッドホーンハウジングとの間に吸音材を配置したことを特徴とする請求項１に記載のヘッドホーン。
【請求項４】
前記ヘッドホーンハウジングと、前記音声発生部を収納するヘッドホーンケースとがジョイントで結合され、当該ジョイントが吸音材で形成されていることを特徴とする請求項１に記載のヘッドホーン。
【請求項５】
請求項１から請求項４のうちいずれか１項に記載のヘッドホーンと、前記ヘッドホーンに接続された、使用者の眼に映像を表示する表示部とを有することを特徴とするヘッドマウントディスプレイ。
【発明の詳細な説明】
【技術分野】
【０００１】
本発明はヘッドホーン、及びヘッドマウントディスプレイに関するものである。
【背景技術】
【０００２】
近年、液晶パネル（ＬＣＤ）等のディスプレイ上に表示された映像を、接眼レンズやハーフミラー等を有する光学系を介して拡大した虚像として観察する眼鏡タイプの映像表示装置が種々提案され、ヘッドマウントディスプレイと呼ばれている。このようなヘッドマウントディスプレイの例は、例えばＷＯ２００４／０６１５１９Ａ１公報（特許文献１）に記載されている。
【０００３】
この映像表示装置は、多くの場合、頭に巻いた形で顔面に装着する構成とされ、両眼に対応する位置に映像表示系を形成した両眼タイプと左右眼の一方の眼に対応する位置に映像表示系を形成した片眼タイプとがある。このようなヘッドマウントディスプレイは、通常は、映像を表示する表示部と音声を出力するヘッドホーンとを有している。
【０００４】
このようなヘッドマウントディスプレイの概要を図４に示す。このヘッドマウントディスプレイ３１においては、２つのヘッドホーンハウジング３２がオーバヘッドバンド３３によって連結されている。そして、各ヘッドホーンハウジング３２には、音声発生部を収納するヘッドホーンケース３４がジョイントにより取り付けられている。オーバヘッドバンド３３は、弾力性を有し、ヘッドマウントディスプレイ３１を装着するときには、ヘッドホーンハウジング３２を両耳位置に位置させ、オーバヘッドバンド３３の弾力により、人間の頭部（耳部）をヘッドホーンケース３４で挟んで固定する。装着時においては、図４に示すように、オーバヘッドバンド３３が頭頂部方向を向くような位置で装着される。
【０００５】
１つのヘッドホーンハウジング３２には、支持アーム３５が回動可能なように取り付けられており、その先端部に、使用者の眼に映像を表示する表示部３６が取り付けられている。使用時には、支持アーム３５を回動させて、破線で示すように表示部３６を使用者の眼前に位置させ、映像を表示する。他方のヘッドホーンハウジングには、操作機器であるスイッチ３７が設けられ、さらにケーブル３８により外部機器と接続されている。
【０００６】
このようなヘッドマウントディスプレイ用のヘッドホーンをはじめとして、その他音声装置用ヘッドホーンにも、そのヘッドホーンハウジングに操作機器を取り付けることがある。このような例を図５に示す。図５において図４に示された構成要素と同じ構成要素には、同じ符号を付してその説明を省略する。操作機器であるスイッチ３７は電気基板３９に取り付けられており、電気基板３９がヘッドホーンハウジング３２に取り付けられている。
【０００７】
ヘッドホーンハウジング３２には、ジョイント４０を介してヘッドホーンケース４１が取り付けられ、ヘッドホーンケース４１には、音声発生部であるドライバ４２が取り付けられている。又、ヘッドホーンケース４１には、耳当て用のヘッドパット４３が取り付けられている。電気基板３９から、ドライバ４２、ケーブル３８、他のヘッドホーンハウジング３２へは、配線４４がなされている。
【特許文献１】ＷＯ２００４／０６１５１９Ａ１公報
【発明の開示】
【発明が解決しようとする課題】
【０００８】
このような構成において、操作機器を操作するとき、その操作音が、ヘッドホーンハウジングからヘッドホーン（ヘッドホーンケース）へと伝わり、音声出力の雑音となることがある。このような雑音は、音楽鑑賞を行っているときに特に問題となる。
【０００９】
本発明はこのような事情に鑑みてなされたものであり、ヘッドホーンハウジングに取り付けられた操作機器の操作音が、音声出力の雑音となりにくいヘッドホーン、及びヘッドマウントディスプレイを提供することを課題とする。
【課題を解決するための手段】
【００１０】
前記課題を達成するための第１の手段は、ヘッドホーンハウジングに直接又が間接的に操作機器が取り付けられたヘッドホーンであって、前記操作機器の取り付け部と、音声発生部との間に、吸音材を配置したことを特徴とするヘッドホーンである。
【００１１】
前記課題を解決するための第２の手段は、前記第１の手段であって、前記操作機器と、それが取り付けられている前記ヘッドホーンハウジングとの間に吸音材を配置したことを特徴とするものである。
【００１２】
前記課題を解決するための第３の手段は、前記第１の手段であって、前記操作機器が基板に取り付けられ、当該基板が前記ヘッドホーンハウジングに取り付けられ、前記基板と前記ヘッドホーンハウジングとの間に吸音材を配置したことを特徴とするものである。
【００１３】
前記課題を解決するための第４の手段は、前記第１の手段であって、前記ヘッドホーンハウジングと、前記音声発生部を収納するヘッドホーンケースとがジョイントで結合され、当該ジョイントが吸音材で形成されていることを特徴とするものである。
【００１４】
前記課題を解決するための第５の手段は、前記第１の手段から第４の手段のいずれかのヘッドホーンと、前記ヘッドホーンに接続された、使用者の眼に映像を表示する表示部とを有することを特徴とするヘッドマウントディスプレイである
【発明の効果】
【００１５】
本発明によれば、ヘッドホーンハウジングに取り付けられた操作機器の操作音が、音声出力の雑音となりにくいヘッドホーン、及びヘッドマウントディスプレイを提供することができる。
【発明を実施するための最良の形態】
【００１６】
以下、本発明の実施の形態の例を、図を用いて説明する。図１は、本発明の第１の実施の形態であるヘッドホーンの概要を示す断面図である。
【００１７】
ヘッドホーン１はヘッドホーンハウジング２とヘッドホーンケース３とを主要部分として構成されており、両者は球面座を有するジョイント４により回動自在に結合されている。ヘッドホーンハウジング２には、図に示すように操作部材であるスイッチ５が取り付けられているが、スイッチ５とヘッドホーンハウジング２との間には、ゴムからなる吸音材６が介在しており、スイッチ５の操作音（振動）がヘッドホーンハウジング２に伝わりにくいようになっている。
【００１８】
なお、ヘッドホーンハウジング２は、オーバヘッドバンド７を介して、図４に示すように、他のヘッドホーンハウジング２と結合され、かつ、ケーブル８により外部機器と接続されている。また、ヘッドホーンケース３には、その中に音声発生部であるドライバ９が設けられると共に、耳当て用のヘッドパット１０が取り付けられている。ヘッドホーンハウジング２中には電気基板１１が取り付けられ、電気基板１１から、ドライバ９、ケーブル８、及びオーバヘッドバンド７には、配線１２がなされている。
【００１９】
この実施の形態では、前述のように、吸音材６のためにスイッチ５の操作音（振動）がヘッドホーンハウジング２に伝わりにくいようになっているので、スイッチ５の操作音が雑音となる可能性が小さい。
【００２０】
図２は、本発明の第２の実施の形態であるヘッドホーンの概要を示す断面図である。以下の図において、本欄における前出の図面に示された構成要素と同じ構成要素には、同じ符号を付してその説明を省略し、前出の図面と異なる部分のみを説明する。
【００２１】
この実施の形態においては、操作部材であるスイッチ５が、電気基板１１に取り付けられ、電気基板１１がヘッドホーンハウジング２にビス止めされている。そして、電気基板１１とヘッドホーンハウジング２、電気基板１１とビスの間には、吸音材６が介在して設けられ、スイッチ５の操作音（振動）がヘッドホーンハウジング２に伝わりにくいようになっている。よって、スイッチ５の操作音が雑音となる可能性が少ない。
【００２２】
図３は、本発明の第３の実施の形態であるヘッドホーンの概要を示す断面図である。この実施の形態においては、スイッチ５は電気基板１１に取り付けられ、電気基板１１がヘッドホーンハウジング２にビス止めされている。そして、ヘッドホーンハウジング２とヘッドホーンケース３を結合するジョイント４が円環状をしており、これがゴム等の吸音材からなっている。よって、スイッチ５の操作音（振動）は、ヘッドホーンハウジング２には伝わるが、ヘッドホーンケース３には伝わりにくくなる。従って、スイッチ５の操作音が雑音となる可能性が小さい。
【００２３】
なお、図５に示した従来のヘッドホーン３１において、ジョイント４０をゴム等の吸音材で形成しても、図３に示すものと同じ作用効果が得られる。
【００２４】
又、第１から第３の実施の形態のヘッドホーンを、図４に示すヘッドマウントディスプレイのヘッドホーンの代わりに使用することができる。
【図面の簡単な説明】
【００２５】
【図１】本発明の第１の実施の形態であるヘッドホーンの概要を示す断面図である。
【図２】本発明の第２の実施の形態であるヘッドホーンの概要を示す断面図である。
【図３】本発明の第３の実施の形態であるヘッドホーンの概要を示す断面図である。
【図４】従来のヘッドマウントディスプレイの概要を示す図である。
【図５】ヘッドホーンハウジングに操作機器を取り付けた例を示す図である。
【符号の説明】
【００２６】
１…ヘッドホーン、２…ヘッドホーンハウジング、３…ヘッドホーンケース、４…ジョイント、５…スイッチ、６…吸音材、７…オーバヘッドバンド、８…ケーブル、９…ドライバ、１０…ヘッドパット、１１…電気基板、１２…配線
【図１】
2008042709.tif 000003
【図２】
2008042709.tif 000004
【図３】
2008042709.tif 000005
【図４】
2008042709.tif 000006
【図５】
2008042709.tif 000007